(57)【要約】      （修正有）【課題】収納性のよい運動補助具を提供すること。【解決手段】断面略円形の胴部１ａと、胴部１ａに対向し、かつ斜面として形成された側面１ｂとからなり、内部が空洞の本体部１、及び本体部１の底部に位置して、本体部１を積み重ねたときに、本体部間に空間を形成できる高さを有する脚部２から構成されている。【選択図】図２
0003107552.tif 000002
【実用新案登録請求の範囲】
【請求項１】
断面略円形の胴部と、前記胴部に対向し、かつ斜面として形成された側面とからなり、内部が空洞の本体部、及び前記本体部の底部に位置して、前記本体部を積み重ねたときに、本体部間に空間を形成できる高さを有する脚部とから構成されている運動補助具。
【請求項２】
前記本体部が、基部と、前記基部の表面に形成されたクッション層とにより構成されている請求項１に記載の運動補助具。
【請求項３】
前記脚部が前記本体部に一体に構成されている請求項１に記載の運動補助具。
【請求項４】
前記脚部が、前記本体部の少なくとも相対向する２辺に回動可能に取り付けられて、表面と前記空洞側とに進退可能に構成されている請求項１に記載の運動補助具。
【請求項５】
前記脚部が、枠状に形成されている請求項１、または請求項３に記載の運動補助具。
【請求項６】
前記脚部に少なくとも上方への移動を阻止する結合部が形成されていて、アタッチメントの装着が可能に構成されている請求項１に記載の運動補助具。
【請求項７】
前記アタッチメントに紐を挿通する輪部が形成されている請求項６に記載の運動補助具。
【考案の詳細な説明】
【技術分野】
【０００１】
本考案は、筋力アップ体操や柔軟体操などに適した運動補助具に関するものである。
【背景技術】
【０００２】
運動は、本来的には身体だけを使用して行うため、ポーズが限定されて身体を有効に伸縮させることができなかったり、また逆に不慣れなものには身体に大きな負荷が掛かるため、所定のポーズをとることが不可能な場合がある。
このような問題を解消するため、本出願人は、実用新案登録第3100794号公報として断面略「Ｕ」字状の胴部と、胴部の少なくとも一端を封止するように設けられた板状部の腰掛部とからなり、胴部の前方部が、胴部の後方に開口した背面部に挿入可能な形状に構成した運動補助具を提案した。
この運動補助具によれが、板状部を上部とするように配置すると、椅子として機能するので、足首を断面略「Ｕ」字状の胴部の開口に掛けたポーズを採ることができ、また胴部の丸み部を上部とするように倒すと、脇等に当てたポーズを採ることができる。さらに、前後に重ねるように収納でき、収納に必要な面積を最小限に抑えることができるなどの効果がある。
【考案の開示】
【考案が解決しようとする課題】
【０００３】
本考案は、この運動補助具の使い勝手を向上させることを目的とした運動補助具を提供することである。
【課題を解決するための手段】
【０００４】
このような課題を達成するために請求項１の考案は、断面略円形の胴部と、前記胴部に対向し、かつ斜面として形成された側面とからなり、内部が空洞の本体部、及び前記本体部の底部に位置して、前記本体部を積み重ねたときに、本体部間に空間を形成できる高さを有する脚部とから構成されている。
【考案の効果】
【０００５】
請求項１の考案によれば、断面略円形と胴部や斜面として形成された側面に身体の一部を当てて安定に所定のポーズをとることができ、また上下に重ねるように収納できて狭い場所に多数を収納できるとともに、上下の間に脚部により間隔を確保してクッションのへたりを防止できる。
【考案を実施するための最良の形態】
【０００６】
図１、及び図２は本考案の実施例を示すものであって、この実施例においては本体部１と脚部２とから構成されていて、本体部１は断面略半円形の胴部１ａと、この胴部１ａを挟むように相対向して形成された２つの側面１ｂ、１ｂとから構成されており、このましくは２つの側面１ｂは先端側の間隔が若干狭くなるように斜面として形成されている。
【０００７】
一方、脚部２は、本体部１の底部に容易に着脱できるように構成され、その高さＨは、図３に示したように積み重ねた場合に下側の運動補助具の表面と上側の運動補助具の底面との間に若干に空間Ｇが生じるように調整されている。
【０００８】
本体部は、図４に示したように軽量な硬質材、好ましくは合板や高分子からなる基部１ｃとその表面に設けられた弾性材料からなるクッション層１ｄとから構成されている。なお、クッション層の外面は、人工皮革など耐摩耗性のシート１ｅにより被覆されている。
【０００９】
この実施例によれば、底部を床に着けた状態にセットすると、図５（Ａ）に示したように胴部１ａの半円形の曲面を利用して身体をアーチ状に反らせるポーズを支援でき、また図５（Ｂ）に示したように半円形の曲面に腰を掛けたり、図５（Ｃ）、（Ｄ）に示したように跨ぐように腰を掛けて上半身の屈伸運動を支援することができる。
【００１０】
一方、側面１ｂの一方を床に着けた状態にセットすると、図６（Ａ）に示したように側面が大きく傾斜するので、上部となった側面１ｂに腰を掛けて腕の振りを伴った足踏み運動を、また図６（Ｂ）、（Ｃ）に示したように横向きになっている開放された底部の開口部１ｆに脚を挿入して下半身を固定した状態で上半身のねじりの運動を支援することができる。
【００１１】
一方、運動が終了して収容する場合には、胴部の底部の開口部１ｆを下にして積み重ねると、図３に示したように下部のものの脚部２の上面に、上部のものの脚部２の下部が接触して胴部の間に一定の空間を形成するように積層されていく。
【００１２】
これにより、多数のものを狭い場所に収納することが可能となるほか、クッション層１ｄに上部の運動補助具の荷重が作用せず、クッション層のへたりを防止することができる。
【００１３】
なお、上述の実施例においては脚部２を本体部１に一体に形成しているが、着脱可能な別体物として構成することができる。すなわち図７（Ａ）に示したように脚部２を胴部１の底部の形状に合わせた矩形の枠体１０として構成したり、または図７（Ｂ）に示したように相対向する２辺、好ましくは短辺側に装着可能なブロック体１１、１１として構成する。これによればこの脚部２を上面の高さ調整部材として使用、足が比較的長い人物に対応するためや、胴部の高さを変更するために使用できる。
【００１４】
この場合、枠体１０の短辺側やブロック１１の中央部に後述するアタッチメントを装着するため結合部としての凹部１０ａ、１１ａ（または凸部）を形成しておくと、アタッチメント１２を使用してバリエーションに富んだ運動を実行することができる。
【００１５】
図８は、上記アタッチメント１２の一実施例を示すものであって、短辺とほぼ同一の長さを備えた基体１２ａの側面に、上記枠体やブロック体１１の凹部１０ａ、１１ａ（または凸部）に上方への移動を阻止するように係合する結合部としての凸部１２ｂ（または凹部）を形成するとともに、上面に紐を掛けることができる輪部１２ｃを形成して構成されている。
【００１６】
このように構成されたアタッチメント１２を枠体に装着し、図９（Ａ）に示したように輪部に紐１３を挿通して腹筋運動や、また図９（Ｂ）に示したように伸縮自在の紐１４、例えばゴムチューブを挿通すると腕の筋肉運動を支援することができる。
【００１７】
なお、図７に示した実施例においては、運度補助具本体の側面と連続するように構成しているが、枠体１０の相対向する２辺、またはブロック１１の相対向する２組の２辺の少なくとも一組の側を外側に若干突出するように構成することにより、図３に示したように間隙Ｇを形成して積み重ねることが可能となる。
【００１８】
また、脚部２を本体部に一体に形成する場合には、図１０に示したように少なくとも本体部１の相対向する底部の２辺に蝶板機構３を介して脚部４を取り付け、図１０（Ａ）に示したように運動にする場合には脚部４を本体部１の内側に回転移動させて退避させ、また本体部１を積み重ねて収納の際には図１０（Ｂ）に示したように外側に位置するように回転移動するように構成することもできる。
【００１９】
この実施例によれば運動時には脚部４の影響をなくして本体部１の機能をフルに利用することができ、また収納時には図１０（Ｃ）に示したように上下の間に間隙を確保して、クッション層のへたりを防止することができる。
【図面の簡単な説明】
【００２０】
【図１】図(Ａ)乃至(Ｃ)は、それぞれ本考案の運動補助具の上面図、正面図、及び側面図である。
【図２】同上運動補助具の斜視図である。
【図３】同上運動補助具を積み重ねて収納した状態を示す図である。
【図４】運動補助具を構成する胴部の構造を示す断面図である。
【図５】図（Ａ）乃至（Ｄ）は、同上運動補助具の断面略半円形の胴部を用いた運動形態の一例を示す説明図である。
【図６】図（Ａ）乃至（Ｃ）は、同上運動補助具の側面を用いた運動形態の一例を示す説明図である。
【図７】図（Ａ）、（Ｂ）は、それぞれ運動補助具の脚部の他の実施例を示す図である。
【図８】同上運動補助具の脚部に適したアタッチメントの一実施例を示す図である。
【図９】図（Ａ）、（Ｂ）は同上アタッチメントを使用した運動の一例を示す説明図である。
【図１０】同上運動補助具の脚部の他の実施例を示す図であって、図（Ａ）は脚部を本体部の内側に退避させた状態を、また図（Ｂ）は収納のために脚部を露出させた状態を、さらに図（Ｃ）は収納状態を示す図である。
【符号の説明】
【００２１】
１  本体部    １ａ  断面略半円形の胴部    １ｂ  側面    １ｃ  基部    １ｄ  クッション層    １ｅ  耐摩耗性のシート    １ｆ  開口部    ２  脚部    ３  蝶板機構    ４  脚部    １２  アタッチメント
【図１】
0003107552.tif 000003
【図２】
0003107552.tif 000004
【図３】
0003107552.tif 000005
【図４】
0003107552.tif 000006
【図５】
0003107552.tif 000007
【図６】
0003107552.tif 000008
【図７】
0003107552.tif 000009
【図８】
0003107552.tif 000010
【図９】
0003107552.tif 000011
【図１０】
0003107552.tif 000012